(57)【要約】【課題】  アース側測定端子を電路側測定端子に接続するための部材の落下を確実に阻止することでき、しかも接地操作が容易な絶縁抵抗測定端子用接地具を提供する。【解決手段】  絶縁抵抗を測定するための一対の測定端子に取付けられる絶縁抵抗測定端子用接地具１であって、測定端子のうちアース側測定端子１０１に固定される第１の導電接続端子２と、測定端子のうち電路側測定端子１０２に固定可能で、外周が絶縁カバー４で覆われた第２の導電接続端子３と、一端部に第１の導電接続端子２が設けられ、他端部に第２の導電接続端子３が設けられる可撓性を有するリード線５と、を備え、第２の導電接続端子３は、絶縁抵抗の測定時は電路側測定端子１０２から取外され、絶縁抵抗測定後には電路側測定端子１０２に固定される。【選択図】  図１
2012155922.tif 000002
【特許請求の範囲】
【請求項１】
絶縁抵抗を測定するための一対の測定端子に取付けられる絶縁抵抗測定端子用接地具であって、
前記測定端子のうちアース側測定端子に固定される第１の導電接続端子と、
前記測定端子のうち電路側測定端子に固定可能で、外周が絶縁カバーで覆われた第２の導電接続端子と、
一端部に前記第１の導電接続端子が設けられ、他端部に前記第２の導電接続端子が設けられる可撓性を有する絶縁電線と、
を備え、
前記第２の導電接続端子は、絶縁抵抗の測定時は前記電路側測定端子から取外され、絶縁抵抗測定後には前記電路側測定端子に固定されることを特徴とする絶縁抵抗測定端子用接地具。
【請求項２】
前記第２の導電接続端子は、一対のクリップ部材によって前記電路側測定端子を挟持する鰐口クリップから構成されていることを特徴とする請求項１に記載の絶縁抵抗測定端子用接地具。
【請求項３】
前記第１の導電接続端子は、既存の圧着端子から構成されており、前記圧着端子における前記アース側測定端子の導電部が挿入可能な環状部には外周と内周とを横断する切除部が形成されており、前記導電部を前記環状部に挿入させた状態では、前記切除部の周方向の長さは前記導電部の径よりも小に設定されていることを特徴とする請求項１または２に記載の絶縁抵抗測定端子用接地具。
【発明の詳細な説明】
【技術分野】
【０００１】
この発明は、例えば、ＡＶＲ（Ａｕｔｏｍａｔｉｃ  Ｖｏｌｔａｇｅ  Ｒｅｇｕｌａｔｏｒ）と呼ばれる自動電圧調整器や送配電系統の制御装置などにおいて、絶縁抵抗測定後にアース側への接地放電を行うための絶縁抵抗測定端子用接地具に関する。
【背景技術】
【０００２】
ＡＶＲや送配電系統の電気機器については、電路と対地間で絶縁抵抗の測定が定期的に行われており、高電圧を印加して絶縁抵抗測定を行った場合は、安全性確保のために絶縁抵抗測定後に絶縁抵抗測定端子を接地し、被測定機器側に帯電している電気をアース側に放電する必要がある。この接地放電は、例えばアース側端子と電路側端子とを電気的に接続することによって行われる。
【０００３】
図４は、従来の絶縁抵抗測定端子の一例を示している。図４に示すように、絶縁測定端子１００のアース側測定端子１０１は、絶縁体で構成された基台１０１ａと、導電性のネジから構成された導電部１０１ｂと、絶縁体で構成された操作部１０１ｃとを有している。絶縁測定端子１００では、軸心回りに操作部１０１ｃを回動させることによって、基台１０１ａと操作部１０１ｃとの間隔を調整するようになっている。基台１０１ａの直径と操作部１０１ｃの直径とは、導電部１０１ｂの径ｄ１よりも大に設定されている。また、電路側測定端子１０２は、アース側測定端子１０１と同様の構成となっている。
【０００４】
従来は、アース側測定端子１０１を電路側測定端子１０２に接続するために、図５に示すように板状の短絡片２００を使用していた。この短絡片２００は、一端にアース側測定端子１０１の導電部１０１ｃと接触する半円形状の切込部２０１と、他端に電路側測定端子１０２の導電部１０２ｃと接触可能な切込部２０２とを有している。短絡片２００は、絶縁体の絶縁部２０３で被覆された部位以外は導電性部材で構成されている。このような短絡片２００は、絶縁抵抗測定時には、アース側測定端子１０１のネジを締付けることによって鉛直上向きに固定され、電路側測定端子１０２とは接触しないようになっている。そして、絶縁抵抗測定が終了した後は、短絡片２００はアース側測定端子１０１のネジをゆるめることによって電路側測定端子１０２側に傾倒し、電路側測定端子１０２の導電部１０２ｃと接触するようになっている。
【０００５】
接地に関する技術の一例として、作業者が作業位置を変えても作業の邪魔にならない接地装置が知られている。（例えば、特許文献１参照。）。また、制御装置の接続点検、試験される個々の端子を挟むクリップ導通具を備えた接続用クリップに関する技術が知られている（例えば、特許文献２参照。）。
【先行技術文献】
【特許文献】
【０００６】
【特許文献１】特開平１０−３３５０９０号公報
【特許文献２】特開２００９−３０１８１８号公報
【発明の概要】
【発明が解決しようとする課題】
【０００７】
しかしながら、図５に示す短絡片２００を使用した接地放電では、アース側測定端子１０１のネジをゆるめた際に、短絡片２００がＡ方向、Ｂ方向のいずれに傾倒するかは不確かであり、また、短絡片２００が想定外のＢ方向に傾倒した場合には、短絡片２００はストッパとなる電路側測定端子１０２に接触しないため、導電部１０１ｃから離れて落下してしまうおそれがあった。短絡片２００は、両端の導電部位が露出しているので、短絡片２００が落下によって例えば制御盤内の端子台に入り通電部と接触した場合は、地絡または短絡が発生するという問題が生じる。さらに、短絡片２００は絶縁箇所が中央のみであるので、接地操作の際に、短絡片２００がＢ方向に傾倒した場合は、短絡片２００の非絶縁部が他の部材に触れるおそれがあり、慎重に接地操作を行う必要がある。
【０００８】
この発明は、前記の課題を解決し、アース側測定端子を電路側測定端子に接続するための部材の落下を確実に阻止することでき、しかも接地操作が容易な絶縁抵抗測定端子用接地具を提供することを目的としている。
【課題を解決するための手段】
【０００９】
前記の課題を解決するために、請求項１の発明は、絶縁抵抗を測定するための一対の測定端子に取付けられる絶縁抵抗測定端子用接地具であって、前記測定端子のうちアース側測定端子に固定される第１の導電接続端子と、前記測定端子のうち電路側測定端子に固定可能で、外周が絶縁カバーで覆われた第２の導電接続端子と、一端部に前記第１の導電接続端子が設けられ、他端部に前記第２の導電接続端子が設けられる可撓性を有する絶縁電線と、を備え、前記第２の導電接続端子は、絶縁抵抗の測定時は前記電路側測定端子から取外され、絶縁抵抗測定後には前記電路側測定端子に固定されることを特徴とする。
【００１０】
この発明によれば、可撓性を有する絶縁電線の一端部に設けられた第１の導電接続端子は、アース側測定端子に固定されており、絶縁抵抗測定後は、外周部が絶縁カバーで覆われた第２の導電接続端子が電路側測定端子に固定されることにより、アース側測定端子は絶縁電線を介して電路側測定端子と電気的に接続される。
【００１１】
請求項２の発明は、請求項１に記載の絶縁抵抗測定端子用接地具において、前記第２の導電接続端子は、一対のクリップ部材によって前記電路側測定端子を挟持する鰐口クリップから構成されていることを特徴とする。
【００１２】
請求項３の発明は、請求項１または２に記載の絶縁抵抗測定端子用接地具において、第１の導電接続端子は、既存の圧着端子から構成されており、前記圧着端子における前記アース側測定端子の導電部が挿入可能な環状部には外周と内周とを横断する切除部が形成されており、前記導電部を前記環状部に挿入させた状態では、前記切除部の周方向の長さは前記導電部の径よりも小に設定されていることを特徴とする。
【発明の効果】
【００１３】
請求項１に記載の発明によれば、可撓性を有する絶縁電線の端部に第１の導電接続端子と第２の導電接続端子をそれぞれ設け、第１の導電接続端子をアース側測定端子に固定するとともに、外周部が絶縁カバーで覆われた第２の導電接続端子を電路側測定端子に固定可能としたので、アース側測定端子を電路側測定端子に接続するための絶縁電線の落下を確実に阻止することできる。また、絶縁電線および第２の導電接続端子の外周は、電気的絶縁が施されているので、接地操作時に他の部材との電気的接触を確実に回避することができ、接地操作が容易となる。
【００１４】
請求項２に記載の発明によれば、第２の導電接続端子は、鰐口クリップから構成されるので、第２の導電接続端子をより確実に把持することができ、作業者の熟練度によらず確実な接地操作が可能となる。
【００１５】
請求項３に記載の発明によれば、既存の圧着端子を利用して第１の導電接続端子を容易に製作することができる。また、圧着端子の環状部に切除部を形成することにより、切除部をアース側測定端子の導電部の径よりも押し広げるように変形させることが可能であるので、アース側測定端子を取り外すことなく、導電部への圧着端子の固定が可能となり、絶縁電線のアース側測定端子からの脱落を防止することができる。
【図面の簡単な説明】
【００１６】
【図１】本発明の実施の形態に係る絶縁抵抗測定端子用接地具の正面図である。
【図２】図１の絶縁抵抗測定端子用接地具を用いたＡＶＲの絶縁抵抗測定時の接続状態を示す正面図である。
【図３】図１の絶縁抵抗測定端子用接地具を用いたＡＶＲの接地時の接続状態を示す正面図である。
【図４】図２の絶縁抵抗測定端子を示す側面図である。
【図５】ＡＶＲの従来の接地状態を示す正面図である。
【発明を実施するための形態】
【００１７】
以下、この発明を図示の実施の形態に基づいて説明する。
【００１８】
図１ないし図４は、この発明の実施の形態に係る絶縁抵抗測定端子用接地具１を用いた接地構造を示している。絶縁抵抗測定端子用接地具１は、絶縁抵抗測定端子１００の接地操作に用いるもので、図１に示すように、主として第１の導電接続端子としての圧着端子２と、第２の導電接続端子としての鰐口クリップ３と、絶縁カバー４と、絶縁電線としてのリード線５とを備えている。この実施の形態では、絶縁測定端子１００は、例えばＡＶＲと呼ばれる自動電圧調整器の制御盤内に配設されており、図２に示すようにアース側測定端子１０１と、電路側測定端子１０２とを備えている。また、アース側測定端子１０１の導電部１０１ｂと電路側測定端子１０２の導電部１０２ｂは、常に外部に露出した状態となっている。ＡＶＲの絶縁抵抗の測定は、アース側測定端子１０１の導電部１０１ｂと電路側測定端子１０２の導電部１０２ｂとを利用して行われる。この実施の形態においては、ＡＶＲは発電所における発電機の励磁機に関する電圧を自動調整するのに使用されている。
【００１９】
圧着端子２の環状部２ａは、図１、図２に示すように、絶縁測定端子１００のアース側測定端子１０１の導電部１０１ｂが挿入される部位であり、切除部２１を有している。この圧着端子２は、外力によって変形可能であり、切除部２１を押し広げることができるとともに、狭めることも可能となっている。つまり、圧着端子２の環状部２ａは、切除部２１を導電部１０１ｂの径よりも押し広げることが可能となっており、この押し広げた状態で環状部２ａの内側に導電部１０１ｂを挿入することが可能となっている。詳しくは、環状部２ａにおける切除部２１の周方向の長さｄ２は、アース側測定端子１０１の導電部１０１ｂの径ｄ１より小に設定されている。また、圧着端子２における環状部２ａの内周は、導電部１０１ｂの径ｄ１と同じかわずかに小さく設定されている。このため、圧着端子２の環状部２ａにアース側測定端子１０１が挿通された状態では、圧着端子２の環状部２ａの内周と導電部１０１ｂとは密着するので、圧着端子２が接続されるリード線５は、アース側測定端子１０１から脱落したり傾倒したりすることはない。また、アース側測定端子１０１に圧着端子２が固定された状態では、操作部１０１ｃの締付けによって圧着端子２の環状部２ａは、導電部１０１ｂの段差面１０１ｄに密着し、圧着端子２と導電部１０１ｂとは確実に導通するようになっている。
【００２０】
鰐口クリップ３は、主として、導電性部材で構成された第１のクリップ部材３１と、第１のクリップ部材３１に対向して配設され、第１のクリップ部材３１に揺動可能に連結される第２のクリップ部材３２と、第１のクリップ部材３１の先端部と第２のクリップ部材３２の先端部とを互いに接近させる方向に付勢する付勢手段（図示略）と、を有する。鰐口クリップ３は、第１のクリップ部材３１の後端部と第２のクリップ部材３２の後端部とを互いに接近させる方向に押圧することによって、先端部同士が互いに離れて開くようになっている。また、鰐口クリップ３は、図３に示すように、電路側測定端子１０２の導電部１０２ｂを狭持することによって、鰐口クリップ３と導電部１０２ｂとが導通するようになっている。
【００２１】
絶縁カバー４は、図１に示すように、鰐口クリップ３の外周を被覆し、先端部に開口部４ａを有する絶縁体からなるカバーである。この絶縁カバー４が鰐口クリップ３の全体を被覆している状態では、鰐口クリップ３の絶縁状態が保持され、図３に示すように、開口部４ａから鰐口クリップ３を露出させた状態でのみ、鰐口クリップ３は電路側測定端子１０２を狭持して導通可能となっている。つまり、電路側測定端子１０２を狭持する際には、絶縁カバー４の開口部４ａより鰐口クリップ３を引き出して露出させた状態で、第１のクリップ部材３１の先端部と第２のクリップ部材３２の先端部とで電路側測定端子１０２の導電部１０２ｂを狭持するようになっている。
【００２２】
リード線５は、導電体からなる複数の素線の集合体の外周を樹脂などの絶縁部材で被覆したものである。リード線５は、可撓性を有し、所定の姿勢を保持することが可能であり、圧着端子２と鰐口クリップ３とを電気的に接続する機能を有する。このリード線５は通常時は、例えば図２に示すように、鰐口クリップ３がアース側測定端子１０１の鉛直上方に位置するように、アース側測定端子１０１から鉛直上向きに略直線状に延びた形状を保持するようになっている。また、リード線５は絶縁抵抗測定後の接地時には、図３に示すように、鰐口クリップ３が電路側測定端子１０２と接触するように湾曲した形状を維持するようになっている。
【００２３】
次に、このような構成の絶縁抵抗測定端子用接地具１の使用方法および作用について説明する。
【００２４】
ＡＶＲの絶縁抵抗の測定は、絶縁抵抗測定端子用接地具１の鰐口クリップ３を電路側測定端子１０２から取外すことにより行う。絶縁抵抗測定器（図示略）による絶縁抵抗の測定は、絶縁抵抗測定器のプローブ（測定棒）をアース側測定端子１０１の導電部１０１ｂと電路側測定端子１０２の導電部１０２ｂに接触させ、アース側測定端子１０１と電路側測定端子１０２の間に高電圧を印加することにより行う。そして、絶縁抵抗の測定後におけるＡＶＲの接地放電は、絶縁抵抗測定端子用接地具１の鰐口クリップ３を電路側測定端子１０２に接続することにより行う。
【００２５】
まず、絶縁抵抗測定端子用接地具１をＡＶＲの絶縁測定端子１００に取り付ける場合について説明する。はじめに既存の圧着端子２の環状部２ａの一部を切断工具（図示略）によって切断し、環状部２ａに切除部２１を形成する。つぎに、圧着端子２を切除部２１を押し広げるように変形させ、切除部２１の周方向の長さｄ２を導電部１０１ｂの径ｄ１よりも大とする。また、アース側測定端子１０１のネジがゆるめられて、導電部１０１ｂが基台１０１ａと操作部１０１ｃとの間に露出していることが確認される。
【００２６】
そして、押し広げられた切除部２１を導電部１０１ｂに押し込むようにして嵌合させて、図２に示すように、環状部２ａの内側に導電部１０１ｂを挿入し、つまり、圧着端子２にアース側測定端子１０１が挿通される。圧着端子２の内周は、導電部１０１ｂの径ｄ１と同じかわずかに小さく設定され、切除部２１の周方向の長さｄ２は、アース側測定端子１０１の径より小さく設定されているので、このとき圧着端子２の内周と導電部１０１ｂの外周とは密着して導通された状態となっている。
【００２７】
このように圧着端子２がアース側測定端子１０１に取り付けられた後は、圧着端子２はアース側測定端子１０１から密着して脱落しにくくなり、アース側測定端子１０１のネジがゆるんだ状態であっても脱落しない。つまり、圧着端子２とアース側測定端子１０１とは、アース側測定端子１０１の締結状態によらず高い導通性が確保される。
【００２８】
そして、リード線５は、アース側測定端子１０１から略鉛直上向きに略直線状に延びた状態で配設され、鰐口クリップ３は、アース側測定端子１０１の略鉛直上方に保持され、絶縁カバー５によって全体が被覆されている。
【００２９】
つづいて、ＡＶＲの絶縁抵抗測定後、絶縁測定端子１００を接地する場合について説明する。
【００３０】
まず、電路側測定端子１０２のネジがゆるめられて、導電部１０２ｂが基台１０２ａと操作部１０２ｃとの間に露出していることが確認される。
【００３１】
そして、図３に示すように、リード線５を湾曲させ、鰐口クリップ３の先端部を絶縁カバー４の開口部４ａから露出させて、電路側測定端子１０２の導電部１０２ｂが狭持される。つまり、電路側測定端子１０２が鰐口クリップ３に固定されることにより、電路側測定端子１０２はリード線５および圧着端子２を介してアース側端子１０１と電気的に接続され、接地放電が開始される。
【００３２】
このように、絶縁抵抗の測定後は、絶縁抵抗測定端子用接地具１のリード線５を電路側測定端子１０２側に湾曲させることにより、絶縁測定端子１００のアース側測定端子１０１と電路側測定端子１０２とがリード線５を介して電気的に接続することでき、電路側測定端子１０２からアース側測定端子１０１への接地放電が可能となる。すなわち、高電圧を印加して行う絶縁抵抗測定においては、高電圧の印加によってＡＶＲ側に電気が帯電することになるが、絶縁抵抗測定後には、アース側測定端子１０１と電路側測定端子１０２とがリード線５を介して電気的に接続されるので、ＡＶＲ側に帯電している電気をアース側測定端子１０１を介してアース側に確実に逃がすことができ、ＡＶＲ側に帯電している電気を完全に除去することが可能となる。
【００３３】
そして、接地放電が終了すると、鰐口クリップ３が導電部１０２ｂから取り外されて、リード線５が略直線状に戻されて、図２に示すように、アース側測定端子１０１から鉛直上方に延びた略直線状で配設され、鰐口クリップ３が、アース側測定端子１０１の鉛直上方に位置された状態に戻される。この実施の形態においては、接地放電の後に、鰐口クリップ３を電路側測定端子１０２から取外すようにしているが、鰐口クリップ３を電路側測定端子１０２に固定したままとし、次回の絶縁抵抗の測定の際に鰐口クリップ３を電路側測定端子１０２から取外すようにしてもよい。
【００３４】
以上のように、この実施の形態１に係る発明によれば、可撓性を有するリード線５の端部に圧着端子２と鰐口クリップ３をそれぞれ設け、圧着端子２をアース側測定端子１０１に固定するとともに、外周部が絶縁カバー４で覆われた鰐口クリップ３を電路側測定端子１０２に固定可能としたので、アース側測定端子１０１を電路側測定端子１０２に接続するためのリード線５の落下を確実に阻止することできる。また、リード線５および鰐口クリップ３の外周は、電気的絶縁が施されているので、接地操作時に他の部材との電気的接触を確実に回避することができ、接地操作が容易となる。
【００３５】
また、第２の導電接続端子は鰐口クリップから構成されるので、鰐口クリップ３をより確実に把持することができ、作業者の熟練度によらず確実な接地操作が可能となる。
【００３６】
さらに、既存の圧着端子を利用して圧着端子２を容易に製作することができる。また、圧着端子２の環状部２ａに切除部２１を形成することにより、切除部２１をアース側測定端子１０１の導電部１０１ｂの径ｄ１よりも押し広げるように変形させることが可能であるので、アース側測定端子１０１を取り外すことなく、導電部１０１ｂへの圧着端子２の固定が可能となり、リード線５のアース側測定端子１０１からの脱落を防止することができる。また、既設の絶縁測定端子１００に変更を加えたり、操作をしたりすることなく、絶縁抵抗測定端子用接地具１を使用することができる。
【００３７】
また、リード線５は、可撓性を有し所定の姿勢を維持可能な材料で構成されているので、上記のような接地放電を繰り返し行うことができる。さらにまた、リード線５は、接地放電時以外は被鉛直上方に延びるように配置され、外力を加えて所定方向に湾曲させない限り、鰐口クリップ３は電路側測定端子１０２と接触することがない。つまり、電路側測定端子１０２を常にゆるめた状態（導電部１０２ｂが常に露出した状態）となっていても不用意に鰐口クリップ３が接触してしまうようなことがない。このように、アース側測定端子１０１、電路側測定端子１０２の締結状態によらず、外力を加えない限りは絶縁抵抗測定端子用接地具が脱落したり、接地放電したりすることがないので、常時アース側測定端子１０１、電路側測定端子１０２をゆるめた状態としておくことができる。つまり、接地放電時は、アース側測定端子１０１、電路側測定端子１０２を操作することなく、鰐口クリップ３で電路側測定端子１０２を狭持すればよいだけであるので、簡単な操作で接地放電できて操作性が向上する。
【００３８】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、接触部を鰐口クリップとして説明したが、棒状のテスト用プローブなどの他の導電性部材で構成されていてもよい。この場合は、絶縁抵抗測定後に、棒状のテスト用プローブを電路側測定端子１０２の導電部１０２ｂに接触させることで、接地放電させることができる。
【００３９】
また、圧着端子２をアース側測定端子１０１に挿通した状態で、アース端子１０１の操作部１０１ｃをまわしてネジを締結することによって、圧着端子２を元に戻すように押圧して、強固に密着させるようにしてもよい。
【符号の説明】
【００４０】
１              絶縁抵抗測定端子用接地具
２              圧着端子（第１の導電接続端子）
３              鰐口クリップ（第２の導電接続端子）
４              絶縁カバー
５              リード線（絶縁電線）
２１            切除部
３１            第１のクリップ部材
３２            第２のクリップ部材
１００          絶縁抵抗測定端子
１０１          アース側測定端子
１０２          電路側測定端子
【図１】
2012155922.tif 000003
【図２】
2012155922.tif 000004
【図３】
2012155922.tif 000005
【図４】
2012155922.tif 000006
【図５】
2012155922.tif 000007